(57)【特許請求の範囲】
【請求項１】
多数の電極を有する表示セルと、該表示セルを支持する為のセル支持体と、該表示セルに接続され該表示セルを駆動する為の駆動回路を備えた回路基板と、を有し、該回路基板が該セル支持体に対して支持手段により移動可能に支持されている表示装置において、
該支持手段は、該回路基板が該セル支持体より離間する動きを規制すると共に該セル支持体と平行な方向に移動し得るように支持する押え板である、
ことを特徴とする表示装置。
【請求項２】
前記押え板は、前記回路基板と前記セル支持体とを圧接させる為の板バネである、
ことを特徴とする請求項１記載の表示装置。
【請求項３】
前記支持手段は、前記セル支持体が熱膨張した際に前記回路基板の前記セル支持体に対する移動を許容する、
ことを特徴とする請求項１又は２に記載の表示装置。
【請求項４】
前記回路基板は略長方形状であり、前記支持手段は、該回路基板の長手方向に沿った移動を許容する、
ことを特徴とする請求項１乃至３のいずれか１項に記載の表示装置。
【発明の詳細な説明】
【０００１】
【産業上の利用分野】
本発明は、パーソナルコンピュータのディスプレイ、ビデオカメラレコーダーのビューファインダー、その他各種画像情報処理装置に用いられる表示装置に関し、特に、回路基板と表示セルとがセル支持体によって支持されてなる表示装置に係り、詳しくは、セル支持体への回路基板の支持構造に関する。
【０００２】
【従来の技術】
従来より、表示装置として、エレクトロルミネッセンスディスプレイ（ＥＬＤ）、プラズマディスプレイ（ＰＤ）、液晶ディスプレイ（ＬＣＤ）等が様々な分野で使用されている。
【０００３】
この種の表示装置では、多数の電極を形成した一対の透明基板間に液晶を保持して成る表示セルが、その表示セルを支持する為の支持体であるところのセル固定板上に接着材で固定されるとともに、その同じセル固定板上のセルの周辺に、セル駆動用のＩＣを具備するドライバボード（回路基板）が配置されている。ドライバボードは、フレキシブルなテープを端子に接続した複数のＴＡＢ−ＩＣを搭載したもので、このＴＡＢ−ＩＣのフレキシブルなＴＡＢフィルムを介して表示セルと電気的，機械的に接続されている。そしてこのドライバボードは、表示装置が振動や衝撃を受けた際にセル固定板から大きく飛び跳ねないように、表示セルとは別個にセル固定板に支持されている。
【０００４】
ところで、表示装置のセル固定板は、ガラス強化されたポリカーボネイトから成るものであり、また表示セルとしての液晶セルは、一対のガラス板間にネマチック液晶や強誘電液晶などの液晶材料を封入し接着して成るものである。従って、これらのセル固定板と液晶セルとは、それぞれの熱膨張率が異なる。このため、環境温度が変化した場合、あるいは製造工程で温度ストレスを受けた場合などには、両者の相対位置が変化する。その際、ドライバボードがセル固定板に対して動かないように固定されていると、ＴＡＢフィルムあるいはその両端の半田付けなどの接合部分にストレスがかかり、破断するおそれがある。
【０００５】
そこでドライバボードは、セル固定板と液晶セルとの相対位置変化に追従して、セル固定板と平行な方向に移動し得るように支持されている。
【０００６】
図６は、従来の表示装置におけるドライバボードの支持構造を示す要部斜視図、また図７は、同じ支持構造を示す要部断面図である。
【０００７】
これらの図に示すように、従来は、ドライバボード２０に長孔２１あるいはＵ状の切り欠き２２を形成し、その長孔２１あるいは切り欠き２２に通した段ビス２３をセル固定板２５に螺着することによって、ドライバボード２０をセル固定板２５に移動可能に支持していた。
【０００８】
【発明が解決しようとする課題】
しかし、上述のような従来の表示装置におけるドライバボード２０の支持構造では、ドライバボード２０に、長孔２１あるいは切り欠き２２を形成するためのスペースを確保する必要から、ドライバボード２０の寸法が大きくなってしまっていた。特に、ドライバーボード２０を表示セルの隣接する２辺に配置しようとすると、図６に示す角のスペースＳＡは既に一辺に配されたドライバーボード２０によって占有されている為、他方のドライバーボード（不図示）の固定部分を配する為のスペースがない。従って、該他方のドライバーボードを同様の手法で固定しようとする為には更なるスペースを容易しなければならず装置の大型化を招いてしまうという問題があった。
【０００９】
本発明は、回路基板と表示セルとの間の接続状態を良好に保ちながら、コンパクトに回路基板を組み立てることのできる表示装置を提供することにある。
【００１０】
【課題を解決するための手段】
本発明は、上述事情に鑑みなされたものであって、多数の電極を有する表示セルと、該表示セルを支持する為のセル支持体と、該表示セルに接続され該表示セルを駆動する為の駆動回路を備えた回路基板と、を有し、該回路基板が該セル支持体に対して支持手段により移動可能に支持されている表示装置において、
該支持手段は、該回路基板が該セル支持体より離間する動きを規制すると共に該セル支持体と平行な方向に移動し得るように支持する押え板である、ことを特徴とする。この場合、前記押え板は、前記回路基板と前記セル支持体とを圧接させる為の板バネである、ようにしてもよい。
【００１１】
【作用】
以上構成に基づき、上記支持手段として押え板を用いることにより、回路基板を、その回路基板上面の非常に小さなスペースを利用して支持することができる。即ち、回路基板に確保しなければならない支持用のスペースを、非常に小さくすることができ、それにより、回路基板を小型化することが可能となる。
【００１２】
また、板バネで構成した押え板を用いることにより、回路基板を、セル支持体と平行な方向に移動可能に、しかもセル支持体と垂直な方向には遊びのない状態に、つまり全くガタつきのない状態に支持することが可能となる。それと同時に、同寸法，同形状の押え板で、厚さの異なる回路基板に対応することが可能となる。
【００１３】
【実施例】
以下、図面に基づいて本発明の実施例を説明する。
【００１４】
図１は、本発明に係る液晶表示装置の全体を示す平面図、図２はその液晶表示装置におけるドライバボードの支持構造を示す要部分解斜視図、図３は同じ支持構造を示す図１のＡ−Ａ線断面図、図４は同じ支持構造を示す図１のＢ−Ｂ線断面図である。
【００１５】
図１に示すように、一枚のセル固定板（セル支持体）１上の中央に、表示用の液晶セル（表示セル）２が、接着材３を用いて固定されるとともに、その液晶セル２の周辺に、セル駆動用のドライバボード（回路基板）５が配置されている。このドライバボード５は、複数のＴＡＢ−ＩＣ６を搭載して、セル固定板１の脚部１ａに載置されており、フレキシブルなＴＡＢフィルム７を介して液晶セル２と電気的，機械的に接続されている。そのドライバボード５上のＴＡＢ−ＩＣ６は、フラットケーブルを介して制御装置（図示せず）から駆動信号を受け、液晶セル２を駆動する。
【００１６】
また、上記ドライバボード５は、従来例で説明したように、環境温度変化などによるセル固定板１と液晶セル２との相対位置変化に追従して、セル固定板１と平行な方向に移動し得るように支持されている。本発明に係る液晶表示装置は、このドライバボード５のセル固定板１への支持構造に特徴がある。
【００１７】
即ち、上記ドライバボード５は、そのボード５の、セル固定板１と垂直な方向の動きを規制する押え板９によって、振動や衝撃を受けた際に大きく飛び跳ねないように支持されるとともに、図１において液晶セル２の左側に位置するドライバボード５ＬはＸ方向（左右方向）に、前後に位置するドライバボード５Ｆ，５ＲはＹ方向（前後方向）に、それぞれ移動し得るようになっている。
【００１８】
本実施例の場合、各ドライバボード５は、それぞれの両端部と中央部とが、押え板９によって支持されている。その押え板９のうち、各ドライバボード５の両端部を支持する押え板９Ａは、段状に折曲され（図３）、その先端部が、ドライバボード５の上面のＴＡＢフィルム７のない部分に、わずかな隙間（０．１〜０．２ｍｍ）をあけた状態で重なるように、ビス１０を用いてセル固定板１に固定されている。さらに、各ドライバボード５の両端部を支持する押え板９Ａのうち、液晶セル２の左側に位置するドライバボード５Ｌの両端部を支持するものと、液晶セル２の前後に位置するドライバボード５Ｆ，５Ｒの左端部を支持するものとは、Ｌ状に一体化されており、一本のビス１０でセル固定板１に固定されている。
【００１９】
また、各ドライバボード５の中央部を支持する押え板９Ｂは、両端が直角に折曲されてコ字状を成し（図４）、その折曲部分に形成された孔１１と、セル固定板１の脚部１ａに形成された突起１２とを係合させることによってセル固定板１に固定されている。そしてこの押え板９Ｂの場合にも、ドライバボード５の上面のＴＡＢフィルム７のない部分に、わずかな隙間（０．１〜０．２ｍｍ）をあけた状態で、さらに折曲部分とドライバボード５との間に、そのボード５の、セル固定板１と平行な方向への移動を妨げないだけの隙間を設けた状態で固定されている。
【００２０】
上述のように、押え板９を用いることにより、ドライバボード５を、そのボード上面の非常に小さなスペースを利用して支持することができる。即ち、ドライバボード５に確保しなければならない支持用のスペースを、非常に小さくすることができ、それにより、ドライバボード５を小型化することができる。また、隣接する２枚の押え板９Ａを一体化すれば、組み立て作業を簡略化することができる。
【００２１】
〈他の実施例〉
先の実施例では、押え板９を、ドライバボード５の上面との間にわずかな隙間をあけた状態で設けたが、図５の要部断面図に示すように、押え板９０を、金属あるいは合成樹脂を材料とする板バネで構成し、その板バネから成る押え板９０の先端を、ドライバボード５の上面に圧接させるようにしてもよい。ただし、その押え板９０の圧接力は、ドライバボード５の、セル固定板１と平行な方向への移動を妨げない程度のものとする。
【００２２】
このように、板バネで構成した押え板９０を用いることにより、ドライバボード５を、セル固定板１と平行な方向に移動可能に、しかもセル固定板１と垂直な方向には遊びのない状態に、つまり全くガタつきのない状態に支持することができる。それと同時に、厚さの異なるドライバボード５に対しても、同寸法，同形状の押え板９０を適用することが可能となる。
【００２３】
また、押え板を導電性部材で構成し、これを所定の電位に保持することにより、アース端子のような役目を果たさせるようにしてもよい。押え板を、回路基板のアース端子と電気的に接続することにより、アース電位の確保が容易になる。
【００２４】
なお、上述各実施例において表示セルを液晶セルとしたが、もちろんこれに限る必要はなく、エレクトロルミネッセンス材料、エレクトロクローミー材料等の光学変調物質を一対の基板間に挟んだ表示セルとしてもよく、電子放出素子アレイを有する表示セルや、反射ミラーのアレイを有する表示セル等としても良い。これら表示セルと回路基板との間は、テープキャリア等のフレキシブル配線部材を介して導電性接着剤等で接続されることが好ましい。
【００２５】
【発明の効果】
以上説明したように、本発明に係る表示装置では、セル駆動用の回路基板を、押え板を用いてセル支持体に支持する構造としたため、回路基板に確保しなければならない支持用のスペースを、非常に小さくすることができ、それにより、回路基板を小型化することができる。その結果として、表示装置全体を小型化することも可能となる。
【００２６】
また、押え板を板バネで構成して回路基板の上面に圧接させる支持構造にすることにより、回路基板を、全く遊びのない状態に支持することができ、それと同時に、同寸法，同形状の押え板で、厚さの異なる回路基板に対応することが可能となる。
【図面の簡単な説明】
【図１】本発明に係る液晶表示装置の全体を示す平面図。
【図２】同じ液晶表示装置におけるドライバボードの支持構造を示す要部分解斜視図。
【図３】同じ支持構造を示す図１のＡ−Ａ線断面図。
【図４】同じ支持構造を示す図１のＢ−Ｂ線断面図。
【図５】本発明に係る液晶表示装置におけるドライバボードの他の支持構造を示す要部分解斜視図。
【図６】従来の液晶表示装置におけるドライバボードの支持構造を示す要部斜視図。
【図７】同じ支持構造を示す要部断面図。
【符号の説明】
１        セル固定板（セル支持体）
２        液晶セル（表示セル）
５        回路基板
９，９０  押え板（支持手段）
【図１】
0003782480.tif 000002
【図２】
0003782480.tif 000003
【図３】
0003782480.tif 000004
【図４】
0003782480.tif 000005
【図５】
0003782480.tif 000006
【図６】
0003782480.tif 000007
【図７】
0003782480.tif 000008